(57)【要約】      （修正有）【課題】栽培植物の根腐れを防止し、少ない養液の供給で植物を効率的に栽培することができる縦型水耕栽培システムを提供する。【解決手段】ハウスの天井に吊るし又は床面に立設した複数の縦型水耕栽培筒１と、縦型水耕栽培筒１内に抜き差し可能に収容した培地２と、養液収容タンク３から培地２に養液７を供給する養液供給手段４と、縦型水耕栽培筒１の下部から滴下した養液７を収集し、養液収容タンク３に回収する養液回収手段５と、を備えた縦型水耕栽培システムであって、縦型水耕栽培筒１は、その一側面に植物の苗を植え込むための垂直方向のスリット１１を備え、培地２は、保水性シート２１と、その両面を挟み込んだ通気性素材とで構成され、通気性素材の上端より突出した保水性シート２１上端部を一方の通気性素材の上面に折り曲げ載置され、養液供給手段４から養液７を折り曲げ載置された保水性シート２１に滴下させる。【選択図】図１
2018113927.tif 000002
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置され、
前記養液供給手段から養液を折り曲げ載置された保水性シートに滴下させるように構成されていることを特徴とする縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置され、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置され、
前記養液供給手段から養液を折り返し載置された保水性シートに滴下させるように構成されていることを特徴とする縦型水耕栽培システム。
【請求項４】
請求項１〜３のいずれか１項に記載の縦型水耕栽培システムにおいて、
前記折り曲げ又は折り返した保水性シートを外側に行くに連れて高くなる傾斜状に形成されていること特徴とする縦型水耕栽培システム。
【請求項５】
前記請求項１〜３のいずれか１項に記載の縦型水耕栽培システムにおいて、
前記少なくとも片側の通気性素材の上面に保水性シートを中心として外側に行くに連れて高くなる傾斜上面を有する傾斜部材を備えていることを特徴とする縦型水耕栽培システム。
【請求項６】
請求項１〜３のいずれか１項に記載の縦型水耕栽培システムにおいて、
前記通気性素材の少なくとも片側の上面を保水性シートを中心として外側に行くに連れて高くなる傾斜状に形成されていること特徴とする縦型水耕栽培システム。
【請求項７】
請求項１〜６のいずれか１項に記載の縦型水耕栽培システムにおいて、
前記養液回収手段は、縦型水耕栽培筒の下部から滴下する養液を回収するドレンパンを備え、該ドレンパンに回収された養液を養液収容タンクに循環させるように構成されていることを特徴とする縦型水耕栽培システム。
【請求項８】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を少なくとも一方の通気性素材の上面に折り曲げ載置し、
前記保水性シートと一方の通気性素材との間に複数の植物の苗を挟み込んだ状態で、前記養液供給手段から養液を折り曲げ載置された保水性シートに滴下させることにより保水性シートに供給された養液で植物の苗を育成することを特徴とする縦型水耕栽培方法。
【請求項９】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を一方の通気性素材の上面に折り曲げ載置し、前記保水性シートが折り曲げ載置された通気性素材とは反対側の通気性素材の上面に別体の保水性シートを載置し、その下端部を前記保水性シートに接触させた構成とし、
前記保水性シートと一方の通気性素材との間に複数の植物の苗を挟み込んだ状態で、前記養液供給手段から養液を折り曲げ載置された保水性シート又は別体の保水性シートに滴下させることにより保水性シートに供給された養液で植物の苗を育成することを特徴とする縦型水耕栽培方法。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液循環手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記保水性シートと一方の通気性素材との間に複数の植物の苗を挟み込んだ状態で、前記通気性素材の上端より突出した保水性シート上端部を一方の通気性素材の上面に折り曲げ載置し、さらにその先端をもう一方の通気性素材の上面側に折り返し載置し、
前記保水性シートと一方の通気性素材との間に複数の植物の苗を挟み込んだ状態で、前記養液供給手段から養液を折り返し載置された保水性シートに滴下させることにより保水性シートに供給された養液で植物の苗を育成することを特徴とする縦型水耕栽培方法。
【請求項１１】
請求項８〜１０のいずれか１項に記載の縦型水耕栽方法において、
前記折り曲げ又は折り返した保水性シートを外側に行くに連れて高くなる傾斜状に形成されていること特徴とする縦型水耕栽培方法。
【請求項１２】
請求項８〜１０のいずれか１項に記載の縦型水耕栽培方法おいて、
前記少なくとも片側の通気性素材の上面に保水性シートを中心として外側に行くに連れて高くなる傾斜上面を有する傾斜部材を備えることを特徴とする縦型水耕栽培方法。
【請求項１３】
請求項８〜１０のいずれか１項に記載の縦型水耕栽培方法おいて、
前記少なくとも片側の両通気性素材の上面を保水性シートを中心として外側に行くに連れて高くなる傾斜状に形成されていること特徴とする縦型水耕栽培方法。
【発明の詳細な説明】
【技術分野】
【０００１】
本発明は、縦型水耕栽培システム及び縦型水耕栽培方法に関する。
【背景技術】
【０００２】
従来、縦型水耕栽培システムとしては、特許文献１に記載の物が知られている。
この従来例の縦型水耕栽培システムは、コンテナを用いたＬＥＤ照明型であるが、コンテナの天井に吊るした複数の垂直ラック（縦型水耕栽培筒）と、垂直ラック内の培地に養液を供給する灌漑システム（養液供給手段）と、垂直ラックから滴り落ちた養液を収集し、栄養貯蔵室（養液収容タンク）に送り返す戻り溝（養液回収循環手段）と、人工光による照明システムと、を備えている。
また、前記垂直ラックは、断面方形でその一側面に植物の苗を植え込むための垂直方向のスリットを備えた構造になっている。この垂直ラック内にはスポンジ、ヤシ殻、ロックウール、等の培地が交換可能に差し込まれている（特許文献１参照）。
【先行技術文献】
【特許文献】
【０００３】
【特許文献１】特表２０１５−５２１８５１号公報
【発明の概要】
【発明が解決しようとする課題】
【０００４】
しかしながら、従来例の縦型水耕栽培システムのように、縦型水耕栽培筒内に１種類の培地を収容した状態では、培地内の空壁を水と空気が奪い合うことになるので、養液量によって気相比率が低くなって根腐れを生じる等、栽培を成功させることが簡単ではなく、また、水相・気体相のバランスが良いもののみに使用が限られていた。
すなわち、培地の保水性が高く通気性が低い（培地中の気相比率が低すぎる）と、根腐れを生じ、逆に通気性が高く保水性が低い（培地中の液相比率が低すぎる）と、苗を枯らさないためには大量の養液の供給が必要で、養液の供給又は循環に用いられるポンプの容量が大きくなるため、設備費及びランニングコストが高くつくという問題点があった。
【０００５】
本発明の解決しようとする課題は、栽培植物の根腐れを防止し、少ない養液の供給で植物を効率的に栽培することができる縦型水耕栽培システム及び縦型水耕栽培方法を提供することにある。
【課題を解決するための手段】
【０００６】
上記課題を解決するため請求項１記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置され、
前記養液供給手段から養液を折り曲げ載置された保水性シートに滴下させるように構成されていることを特徴とする。
【０００７】
請求項２記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置され、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする。
【０００８】
請求項３記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置され、
前記養液供給手段から養液を折り返し載置された保水性シートに滴下させるように構成されていることを特徴とする。
【０００９】
請求項４記載の縦型水耕栽培システムは、請求項１〜３のいずれか１項に記載の縦型水耕栽培システムにおいて、
前記折り曲げ又は折り返した保水性シートを外側に行くに連れて高くなる傾斜状に形成されていること特徴とする。
【００１０】
請求項５記載の縦型水耕栽培システムは、前記請求項１〜３のいずれか１項に記載の縦型水耕栽培システムにおいて、
前記少なくとも片側の通気性素材の上面に保水性シートを中心として外側に行くに連れて高くなる傾斜上面を有する傾斜部材を備えていることを特徴とする。
【００１１】
請求項６記載の縦型水耕栽培システムは、請求項１〜３のいずれか１項に記載の縦型水耕栽培システムにおいて、
前記通気性素材の少なくとも片側の上面を保水性シートを中心として外側に行くに連れて高くなる傾斜状に形成されていること特徴とする。
【００１２】
請求項７記載の縦型水耕栽培システムは、請求項１〜６のいずれか１項に記載の縦型水耕栽培システムにおいて、
前記養液回収手段は、縦型水耕栽培筒の下部から滴下する養液を回収するドレンパンを備え、該ドレンパンに回収された養液を養液収容タンクに循環させるように構成されていることを特徴とする。
【００１３】
請求項８記載の縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を少なくとも一方の通気性素材の上面に折り曲げ載置し、
前記保水性シートと一方の通気性素材との間に複数の植物の苗を挟み込んだ状態で、前記養液供給手段から養液を折り曲げ載置された保水性シートに滴下させることにより保水性シートに供給された養液で植物の苗を育成することを特徴とする。
【００１４】
請求項９記載の縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を一方の通気性素材の上面に折り曲げ載置し、前記保水性シートが折り曲げ載置された通気性素材とは反対側の通気性素材の上面に別体の保水性シートを載置し、その下端部を前記保水性シートに接触させた構成とし、
前記保水性シートと一方の通気性素材との間に複数の植物の苗を挟み込んだ状態で、前記養液供給手段から養液を折り曲げ載置された保水性シート又は別体の保水性シートに滴下させることにより保水性シートに供給された養液で植物の苗を育成することを特徴とする。
【００１５】
請求項１０記載の縦型水耕栽培方法は、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液循環手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記保水性シートと一方の通気性素材との間に複数の植物の苗を挟み込んだ状態で、前記通気性素材の上端より突出した保水性シート上端部を一方の通気性素材の上面に折り曲げ載置し、さらにその先端をもう一方の通気性素材の上面側に折り返し載置し、
前記保水性シートと一方の通気性素材との間に複数の植物の苗を挟み込んだ状態で、前記養液供給手段から養液を折り返し載置された保水性シートに滴下させることにより保水性シートに供給された養液で植物の苗を育成することを特徴とする。
【００１６】
請求項１１記載の縦型水耕栽培方法は、請求項８〜１０のいずれか１項に記載の縦型水耕栽方法において、
前記折り曲げ又は折り返した保水性シートを外側に行くに連れて高くなる傾斜状に形成されていること特徴とする。
【００１７】
請求項１２記載の縦型水耕栽培方法は、請求項８〜１０のいずれか１項に記載の縦型水耕栽培方法おいて、
前記少なくとも片側の通気性素材の上面に保水性シートを中心として外側に行くに連れて高くなる傾斜上面を有する傾斜部材を備えることを特徴とする。
【００１８】
請求項１３記載の縦型水耕栽培方法は請求項８〜１０のいずれか１項に記載の縦型水耕栽培方法おいて、
前記少なくとも片側の通気性素材の上面を保水性シートを中心として外側に行くに連れて高くなる傾斜状に形成されていること特徴とする。
【発明の効果】
【００１９】
請求項１記載の縦型水耕栽培システムでは、上述のように、縦型水耕栽培筒内に抜き差し可能に収容した培地を、植物の苗を植え込む保水性シートと、その両面を挟み込んだ通気性素材とで構成し、養液を保水性シート上端部に滴下させるようにしたことで、保水性シートと通気性素材との間に挟み込んだ植物の苗の根に確実に酸素が供給されるため、栽培植物の根腐れを防止することができる。
また、培地として保水性シートと通気性素材の２部構成にし、役割分担することにより、保水性は低いが通気性に優れて安価なものや供給容易なもの・通気性は低いが保水性に優れて安価なものや供給容易なものであれば広く使用でき、材料の選択の幅を広げることができる。
また、重量が軽い、壊れにくいものなどを選択することにより、使い易さ等の性能を向上させることができる。
また、単に保水性シートを通気性素材に挟んだだけでは供給した養液の一部のみしか保水性シートに到達せず、通気性素材の空隙部分から多くは失われるため、多量の養液を供給しなければ植物の育成に不十分だった。
それに対し、本発明では、通気性素材の上面に保水性シートの端部を配置することにより、養液を保水性シートに効果的に集めることができるので、養液の落下位置のバラツキが大きい養液供給装置を用いたとしても少ない養液の供給で植物を栽培することができる。従って、養液の供給又は循環に用いられるポンプとして容量の小さなポンプの使用が可能になり、これにより、設備費及びランニングコストの低減が可能になる。
【００２０】
請求項２記載の縦型水耕栽培システムでは、上述のように、養液供給手段から養液を折り曲げ載置された保水性シート又は別体の保水性シートに滴下させることで、養液を保水性シートに集中的に供給することができるようになる。
【００２１】
請求項３記載の縦型水耕栽培システムでは、上述のように、養液供給手段から養液を折り返し載置された保水性シートに滴下させることで、養液を保水性シートに集中的に供給することができるようになる。
【００２２】
請求項４記載の縦型水耕栽培システムでは、上述のように、前記折り曲げ又は折り返した保水性シート上面を外側に行くに連れて高くなる傾斜状に形成することにより、折り曲げ又は折り返した保水性シート、又は別体の保水性シートに滴下した養液の外部への飛び跳ねを防止すると共に、保水性シートに滴下された養液７の通気性素材への漏れや蒸発を防止してより効率的に養液を活用することができるようになる。
【００２３】
請求項５記載の縦型水耕栽培システムでは、上述のように前記両通水性素材の上面に保水性シートを中心として外側に行くに連れて高くなる傾斜上面を有する傾斜部材を備えることで、養液を保水性シートに集中的に供給することができるようになる。
【００２４】
請求項６記載の縦型水耕栽培システムでは、上述のように、前記通気性素材の少なくとも片側の上面を、保水性シートを中心として外側に行くに連れて高くなる傾斜状に形成することにより、養液を保水性シートに集中的に供給することができるようになる。
【図面の簡単な説明】
【００２５】
【図１】実施例１の縦型水耕栽培システムを示す全体説明図である。
【図２】図１のＡ−Ａ線における拡大横断断面図である。
【図３】実施例１の培地を示す要部拡大正面図である。
【図４】実施例２の培地を示す要部拡大正面図である。
【図５】実施例３の培地を示す要部拡大正面図である。
【図６】実施例４の縦型水耕栽培システムを示す(a)、(b)、(c)３タイプの要部拡大正面図である。
【図７】実施例４の傾斜部材を示す斜視図である。
【発明を実施するための形態】
【００２６】
以下にこの発明の実施例を図面に基づいて説明する。
【実施例１】
【００２７】
まず、この実施例１の縦型水耕栽培システムを図面に基づいて説明する。
この実施例１の縦型水耕栽培システムは、図１〜３に示すように、縦型水耕栽培筒１と、培地２と、養液収容タンク３と、養液供給手段４と、養液回収手段５と、を主な構成として備えている。
【００２８】
さらに詳述すると、前記縦型水耕栽培筒１は、断面方形の筒状で、その一側面に植物の苗６を植え込むための垂直方向のスリット１１を備え、ハウス等の天井に吊るし又は床面に立設した状態で備えられている。
【００２９】
前記培地２は、保水性シート２１と、その両面を挟み込んだ通気性素材２２、２３と、で構成され、縦型水耕栽培筒１内に抜き差し可能に差込収容されている。
【００３０】
また、保水性シート２１の上端部を通気性素材２２、２３の上端より突出させて、一方の通気性素材２３の上面に折り曲げ載置し、養液供給手段４から養液７を折り曲げ載置された保水性シート２１ａに滴下させるように構成されている。
【００３１】
前記養液供給手段４は、養液供給ポンプ４１を備え、養液収容タンク３から培地２における折り曲げ載置された保水性シート２１ａの上端部に養液７を滴下させる。この養液７の滴下量としては、保水性シート２１の下端部の水分量が飽和状態に維持される程度でよい。
【００３２】
前記養液回収手段５は、保水性シート２１の下端部から滴下する養液７を受け止めるドレンパン５１と、養液回収ポンプ５２とを備え、ドレンパン５１に溜まった養液７を養液回収循環ポンプ５２で養液収容タンク３に回収循環させる。
【００３３】
次に、この実施例１の作用・効果を説明する。
【００３４】
この実施例１の縦型水耕栽培システムでは、上述のように構成されるため、図２、３に示すように、保水性シート２１と通気性素材２２又は２３との間に複数の植物の苗６を挟み込んだ状態で培地２を縦型水耕栽培筒１の中に差込装着し、養液供給ポンプ４１で養液７を折り曲げ載置された保水性シート２１ａの上端部に滴下させると、苗６は保水性シート２１から養液７を吸収して成長する。
以上のように、保水性シート２１と通気性素材と２２の間に挟み込んだ植物の苗６の根が通気性素材２２に接した状態で成長するため、栽培植物の根腐れを防止することができる。
また、養液供給手段４から養液７を折り曲げ載置された保水性シート２１ａに滴下させることで、養液７を保水性シート２１にロスすることなく効果的に集めることができるようになる。従って、養液７の供給又は循環に用いられるポンプとして容量の小さなポンプの使用が可能になり、これにより、設備費及びランニングコストの低減が可能になる。
【００３５】
次に、従来例と本実施例との栽培比較実験例について説明する。
１．本実施例：厚さ４．８cm、幅１０cm、長さ１５０cm  の通気性素材(ポリエチレン)を半分の長さで２枚に折り畳み、その間に、厚さ１mm、幅９cm、長さ７０ｃmのポリエステルフェルト（保水性シート）を挟み込み、フェルトの上端部５ｃmをポリエチレンンの上端より突出させ、その突出部をポリエチレンの上面に折り曲げ載置した状態で、断面の一辺が１０cmの正方形で、その一辺にスリットを有する縦型水耕栽培筒に差し込んだ状態。
２．比較例１：フェルトの上端部をポリエチレンの上端より上部に突出させない状態。
３．比較例２：培地がフェルトを含まないポリエチレンのみの状態。
これら上記３種の縦型水耕栽培筒に対し、バジル苗の定植を行った。
苗は９cmのポットに植わっている、草丈７〜１０cmのものを用い、水道水で根から土を洗い落とした後、ポリエチレンとフェルトとの間（比較例２の場合は両ポリエチレン相互間）にバジル苗の地下部を挟み込み、縦型水耕栽培筒に差込装着した。
肥料養液（ＯＡＴハウス１号を濃度0.8ｇ/Ｌとなるように溶解した水溶液）を毎分20ｇの速度で滴下しながら３日間太陽光下で栽培を行った。
【００３６】
比較実験結果
実施例：６苗中６苗全てが順調に生育した。
比較例１：６苗中２苗は生育を続けたが、４苗が枯れた。
比較例２：６苗中１苗は生育を続けたが、５苗が枯れた。
【００３７】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３８】
この実施例２の縦型水耕栽培システムは、図４に示すように、前記実施例１における保水性シート２が折り曲げ載置された通気性素材２３とは反対側の通気性素材２２の上面に別体の保水性シート２４を載置し、その下端部を前記保水性シート２１と通気性素材２２との間に挟み込むことによりに保水性シート２１に接触させた構成とし、養液供給手段４から養液７を折り曲げ載置された保水性シート２１ａ又は別体の保水性シート２４に滴下させるように構成されている点で、前記実施例１とは相違したものである。
従って、この実施例２によれば、養液供給手段４から養液７を折り曲げ載置された保水性シート２１ａ又は別体の保水性シート２４に滴下させることで、養液７を保水性シート２１に集中的に供給することができるようになる。
また、両通気性素材２２、２３の上面を保水性シート２１を中心として外側に行くに連れて高くなる傾斜状に形成することにより、折り曲げ載置された保水性シート２１ａ、又は別体の保水性シート２４に滴下した養液７の外部への飛び跳ねを防止すると共に、保水性シート２１に滴下された養液７の通気性素材２２、２３への漏れや蒸発を防止してより効率的に養液７を活用することができるようになる。
【実施例３】
【００３９】
この実施例３の縦型水耕栽培システムは、図５に示すように、実施例１における保水性シート２１の上端部を一方の通気性素材２３の上面に折り曲げ載置した保水性シート２１ａの先端部さらにもう一方の通気性素材２２の上面側に折り返し載置し、養液供給手段４から養液７を折り返し載置された保水性シート２１ｂに滴下させるように構成されている点で、前記実施例１とは相違したものである。
従って、この実施例３によれば、養液供給手段４から養液７を折り返し載置された保水性シート２１ｂに滴下させることで、養液７を保水性シート２１に集中的に供給することができるようになる。
また、両通気性素材２２、２３の上面を保水性シート２１を中心として外側に行くに連れて高くなる傾斜状に形成することにより、折り返し載置された保水性シート２１ｂに滴下した養液７の外部への飛び跳ねを防止すると共に、保水性シート２１ｂに滴下された養液７の通気性素材２２、２３への漏れや蒸発を防止してより効率的に養液７を活用することができるようになる。
【実施例４】
【００４０】
この実施例４の縦型水耕栽培システムは、図６の（ａ）、（ｂ）、（ｃ）、及び図７に示すように、前記両通水性素材の２２、２３上面に保水性シート２１を中心として外側に行くに連れて高くなる傾斜上面を有する断面略直角三角形の傾斜部材８を備えた点で、前記実施例１〜３とは相違したものである。
従って、この実施例４によれば、養液供給手段４から折り曲げた保水性シート２１ａ（別体の保水性シート２４、折り返した保水性シート２１ｂ）に滴下した養液７の外部への飛び跳ねを防止し、保水性シート２１に集中的に供給することができ、これにより、折り曲げた保水性シート２１ａ（別体の保水性シート２４、折り返した保水性シート２１ｂ）に滴下された養液７の通気性素材２２、２３への漏れや蒸発を防止してより効率的に養液７を活用することができるようになる。
なお、傾斜部材８の素材は任意であるが、少なくとも傾斜上面は通水性を有しない素材で構成されていることが望ましい。
また、傾斜部材８の形状は、傾斜上面を形成するならば、断面は略直角三角形に限らず、任意である。また、傾斜部材８の傾斜上面は直線に限らず、その他に例えば凹曲面にしてもよい。
【００４１】
以上本実施例を説明してきたが、本発明は上述の実施例に限られるものではなく、本発明の要旨を逸脱しない範囲の設計変更等があっても、本発明に含まれる。
【００４２】
例えば、実施例１では縦型水耕栽培筒を断面略方形としたが、方形以外の筒状でもよい。
【００４３】
また、この実施例の縦型水耕栽培システム又は方法は、その光源として太陽光の他にＬＥＤ等の人工光を用いる場合にも適用することができる。人工光を利用する場合は、縦型水耕栽培筒１のスリット１１側面にＬＥＤ等の人工光装置を備える。
【符号の説明】
【００４４】
１  縦型水耕栽培筒
１１  スリット
２  培地
２１  保水性シート
２１ａ  折り曲げた保水性シート
２１ｂ  折り返した保水性シート
２２  通気性素材
２３  通気性素材
２４  別体の保水性シート
３  養液収容タンク
４  養液供給手段
４１  養液供給ポンプ
５  養液回収手段
５１  ドレンパン
５２  養液回収循環ポンプ
６  植物の苗
７  養液
８  傾斜部材
【図１】
2018113927.tif 000003
【図２】
2018113927.tif 000004
【図３】
2018113927.tif 000005
【図４】
2018113927.tif 000006
【図５】
2018113927.tif 000007
【図６】
2018113927.tif 000008
【図７】
2018113927.tif 000009
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置し、
前記養液供給手段から養液を折り曲げ載置された保水性シートに滴下させるように構成されていることを特徴とする縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置し、
前記養液供給手段から養液を折り返し載置された保水性シートに滴下させるように構成されていることを特徴とする縦型水耕栽培システム。
【請求項４】
請求項１〜３のいずれか１項に記載の縦型水耕栽培システムにおいて、
前記折り曲げ又は折り返し載置された前記保水性シートは、該保水性シートの外側に行くに連れて高くなる傾斜状に形成されていること特徴とする縦型水耕栽培システム。
【請求項５】
請求項１〜３のいずれか１項に記載の縦型水耕栽培システムにおいて、
前記少なくとも片側の前記通気性素材の上面に保水性シートを中心として外側に行くに連れて高くなる傾斜上面を有する傾斜部材を備えていることを特徴とする縦型水耕栽培システム。
【請求項６】
請求項１〜３のいずれか１項に記載の縦型水耕栽培システムにおいて、
前記通気性素材の少なくとも片側の上面が保水性シートを中心として外側に行くに連れて高くなる傾斜状に形成されていること特徴とする縦型水耕栽培システム。
【請求項７】
請求項１〜６のいずれか１項に記載の縦型水耕栽培システムにおいて、
前記養液回収手段は、縦型水耕栽培筒の下部から滴下する養液を回収するドレンパンを備え、該ドレンパンに回収された養液を養液収容タンクに循環させるように構成されていることを特徴とする縦型水耕栽培システム。
【請求項８】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を少なくとも一方の通気性素材の上面に折り曲げ載置し、
前記保水性シートと一方の通気性素材との間に複数の植物の苗を挟み込んだ状態で、前記養液供給手段から養液を折り曲げ載置された保水性シートに滴下させることにより保水性シートに供給された養液で植物の苗を育成することを特徴とする縦型水耕栽培方法。
【請求項９】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を一方の通気性素材の上面に折り曲げ載置し、前記保水性シートが折り曲げ載置された通気性素材とは反対側の通気性素材の上面に別体の保水性シートを載置し、その下端部を前記保水性シートに接触させた構成とし、
前記保水性シートと一方の通気性素材との間に複数の植物の苗を挟み込んだ状態で、前記養液供給手段から養液を折り曲げ載置された保水性シート又は別体の保水性シートに滴下させることにより保水性シートに供給された養液で植物の苗を育成することを特徴とする縦型水耕栽培方法。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液循環手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記保水性シートと一方の通気性素材との間に複数の植物の苗を挟み込んだ状態で、前記通気性素材の上端より突出した保水性シート上端部を一方の通気性素材の上面に折り曲げ載置し、さらにその先端をもう一方の通気性素材の上面側に折り返し載置し、
前記保水性シートと一方の通気性素材との間に複数の植物の苗を挟み込んだ状態で、前記養液供給手段から養液を折り返し載置された保水性シートに滴下させることにより保水性シートに供給された養液で植物の苗を育成することを特徴とする縦型水耕栽培方法。
【請求項１１】
請求項８〜１０のいずれか１項に記載の縦型水耕栽方法において、
前記折り曲げ又は折り返し載置された前記保水性シートは、該保水性シートの外側に行くに連れて高くなる傾斜状に形成されていること特徴とする縦型水耕栽培方法。
【請求項１２】
請求項８〜１０のいずれか１項に記載の縦型水耕栽培方法おいて、
前記少なくとも片側の前記通気性素材の上面に保水性シートを中心として外側に行くに連れて高くなる傾斜上面を有する傾斜部材を備えることを特徴とする縦型水耕栽培方法。
【請求項１３】
請求項８〜１０のいずれか１項に記載の縦型水耕栽培方法おいて、
前記少なくとも片側の前記通気性素材の上面が保水性シートを中心として外側に行くに連れて高くなる傾斜状に形成されていること特徴とする縦型水耕栽培方法。
【手続補正２】
【補正対象書類名】明細書
【補正対象項目名】０００６
【補正方法】変更
【補正の内容】
【０００６】
上記課題を解決するため請求項１記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置し、
前記養液供給手段から養液を折り曲げ載置された保水性シートに滴下させるように構成されていることを特徴とする。
【手続補正３】
【補正対象書類名】明細書
【補正対象項目名】０００７
【補正方法】変更
【補正の内容】
【０００７】
請求項２記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする。
【手続補正４】
【補正対象書類名】明細書
【補正対象項目名】０００８
【補正方法】変更
【補正の内容】
【０００８】
請求項３記載の縦型水耕栽培システムは、ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置し、
前記養液供給手段から養液を折り返し載置された保水性シートに滴下させるように構成されていることを特徴とする。
【手続補正５】
【補正対象書類名】明細書
【補正対象項目名】０００９
【補正方法】変更
【補正の内容】
【０００９】
請求項４記載の縦型水耕栽培システムは、請求項１〜３のいずれか１項に記載の縦型水耕栽培システムにおいて、
前記折り曲げ又は折り返し載置された前記保水性シートは、該保水性シートの外側に行くに連れて高くなる傾斜状に形成されていること特徴とする。
【手続補正６】
【補正対象書類名】明細書
【補正対象項目名】００１０
【補正方法】変更
【補正の内容】
【００１０】
請求項５記載の縦型水耕栽培システムは、前記請求項１〜３のいずれか１項に記載の縦型水耕栽培システムにおいて、
前記少なくとも片側の前記通気性素材の上面に保水性シートを中心として外側に行くに連れて高くなる傾斜上面を有する傾斜部材を備えていることを特徴とする。
【手続補正７】
【補正対象書類名】明細書
【補正対象項目名】００１１
【補正方法】変更
【補正の内容】
【００１１】
請求項６記載の縦型水耕栽培システムは、請求項１〜３のいずれか１項に記載の縦型水耕栽培システムにおいて、
前記通気性素材の少なくとも片側の上面が保水性シートを中心として外側に行くに連れて高くなる傾斜状に形成されていること特徴とする。
【手続補正８】
【補正対象書類名】明細書
【補正対象項目名】００１６
【補正方法】変更
【補正の内容】
【００１６】
請求項１１記載の縦型水耕栽培方法は、請求項８〜１０のいずれか１項に記載の縦型水耕栽方法において、
前記折り曲げ又は折り返し載置された前記保水性シートは、該保水性シートの外側に行くに連れて高くなる傾斜状に形成されていること特徴とする。
【手続補正９】
【補正対象書類名】明細書
【補正対象項目名】００１７
【補正方法】変更
【補正の内容】
【００１７】
請求項１２記載の縦型水耕栽培方法は、請求項８〜１０のいずれか１項に記載の縦型水耕栽培方法おいて、
前記少なくとも片側の前記通気性素材の上面に保水性シートを中心として外側に行くに連れて高くなる傾斜上面を有する傾斜部材を備えることを特徴とする。
【手続補正１０】
【補正対象書類名】明細書
【補正対象項目名】００１８
【補正方法】変更
【補正の内容】
【００１８】
請求項１３記載の縦型水耕栽培方法は請求項８〜１０のいずれか１項に記載の縦型水耕栽培方法おいて、
前記少なくとも片側の前記通気性素材の上面が保水性シートを中心として外側に行くに連れて高くなる傾斜状に形成されていること特徴とする。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置し、
前記養液供給手段から養液を折り曲げ載置された保水性シートに滴下させるように構成されていることを特徴とする縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置し、
前記養液供給手段から養液を折り返し載置された保水性シートに滴下させるように構成されていることを特徴とする縦型水耕栽培システム。
【請求項４】
請求項１〜３のいずれか１項に記載の縦型水耕栽培システムにおいて、
折り曲げ又は折り返し載置された前記保水性シートは、保水性シートを中心として縦型水耕栽培筒の両側壁側に行くに連れて高くなる傾斜状に形成されていること特徴とする縦型水耕栽培システム。
【請求項５】
請求項１〜３のいずれか１項に記載の縦型水耕栽培システムにおいて、
少なくとも片側の前記通気性素材の上面に保水性シートを中心として外側に行くに連れて高くなる傾斜上面を有する傾斜部材を備えていることを特徴とする縦型水耕栽培システム。
【請求項６】
請求項１〜３のいずれか１項に記載の縦型水耕栽培システムにおいて、
前記通気性素材の少なくとも片側の上面が保水性シートを中心として外側に行くに連れて高くなる傾斜状に形成されていること特徴とする縦型水耕栽培システム。
【請求項７】
請求項１〜６のいずれか１項に記載の縦型水耕栽培システムにおいて、
前記養液回収手段は、縦型水耕栽培筒の下部から滴下する養液を回収するドレンパンを備え、該ドレンパンに回収された養液を養液収容タンクに循環させるように構成されていることを特徴とする縦型水耕栽培システム。
【請求項８】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を少なくとも一方の通気性素材の上面に折り曲げ載置し、
前記保水性シートと一方の通気性素材との間に複数の植物の苗を挟み込んだ状態で、前記養液供給手段から養液を折り曲げ載置された保水性シートに滴下させることにより保水性シートに供給された養液で植物の苗を育成することを特徴とする縦型水耕栽培方法。
【請求項９】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を一方の通気性素材の上面に折り曲げ載置し、前記保水性シートが折り曲げ載置された通気性素材とは反対側の通気性素材の上面に別体の保水性シートを載置し、その下端部を前記保水性シートに接触させた構成とし、
前記保水性シートと一方の通気性素材との間に複数の植物の苗を挟み込んだ状態で、前記養液供給手段から養液を折り曲げ載置された保水性シート又は別体の保水性シートに滴下させることにより保水性シートに供給された養液で植物の苗を育成することを特徴とする縦型水耕栽培方法。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液循環手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記保水性シートと一方の通気性素材との間に複数の植物の苗を挟み込んだ状態で、前記通気性素材の上端より突出した保水性シート上端部を一方の通気性素材の上面に折り曲げ載置し、さらにその先端をもう一方の通気性素材の上面側に折り返し載置し、
前記保水性シートと一方の通気性素材との間に複数の植物の苗を挟み込んだ状態で、前記養液供給手段から養液を折り返し載置された保水性シートに滴下させることにより保水性シートに供給された養液で植物の苗を育成することを特徴とする縦型水耕栽培方法。
【請求項１１】
請求項８〜１０のいずれか１項に記載の縦型水耕栽方法において、
折り曲げ又は折り返し載置された前記保水性シートは、該保水性シートの外側に行くに連れて高くなる傾斜状に形成されていること特徴とする縦型水耕栽培方法。
【請求項１２】
請求項８〜１０のいずれか１項に記載の縦型水耕栽培方法おいて、
少なくとも片側の前記通気性素材の上面に保水性シートを中心として外側に行くに連れて高くなる傾斜上面を有する傾斜部材を備えることを特徴とする縦型水耕栽培方法。
【請求項１３】
請求項８〜１０のいずれか１項に記載の縦型水耕栽培方法おいて、
少なくとも片側の前記通気性素材の上面が保水性シートを中心として外側に行くに連れて高くなる傾斜状に形成されていること特徴とする縦型水耕栽培方法。
【手続補正２】
【補正対象書類名】明細書
【補正対象項目名】０００９
【補正方法】変更
【補正の内容】
【０００９】
請求項４記載の縦型水耕栽培システムは、請求項１〜３のいずれか１項に記載の縦型水耕栽培システムにおいて、
折り曲げ又は折り返し載置された前記保水性シートは、保水性シートを中心として縦型水耕栽培筒の両側壁側に行くに連れて高くなる傾斜状に形成されていること特徴とする。
【手続補正３】
【補正対象書類名】明細書
【補正対象項目名】００１０
【補正方法】変更
【補正の内容】
【００１０】
請求項５記載の縦型水耕栽培システムは、前記請求項１〜３のいずれか１項に記載の縦型水耕栽培システムにおいて、
少なくとも片側の前記通気性素材の上面に保水性シートを中心として外側に行くに連れて高くなる傾斜上面を有する傾斜部材を備えていることを特徴とする。
【手続補正４】
【補正対象書類名】明細書
【補正対象項目名】００１６
【補正方法】変更
【補正の内容】
【００１６】
請求項１１記載の縦型水耕栽培方法は、請求項８〜１０のいずれか１項に記載の縦型水耕栽方法において、
折り曲げ又は折り返し載置された前記保水性シートは、保水性シートを中心として縦型水耕栽培筒の両側壁側に行くに連れて高くなる傾斜状に形成されていること特徴とする。
【手続補正５】
【補正対象書類名】明細書
【補正対象項目名】００１７
【補正方法】変更
【補正の内容】
【００１７】
請求項１２記載の縦型水耕栽培方法は、請求項８〜１０のいずれか１項に記載の縦型水耕栽培方法おいて、
少なくとも片側の前記通気性素材の上面に保水性シートを中心として外側に行くに連れて高くなる傾斜上面を有する傾斜部材を備えることを特徴とする。
【手続補正６】
【補正対象書類名】明細書
【補正対象項目名】００１８
【補正方法】変更
【補正の内容】
【００１８】
請求項１３記載の縦型水耕栽培方法は請求項８〜１０のいずれか１項に記載の縦型水耕栽培方法おいて、
少なくとも片側の前記通気性素材の上面が保水性シートを中心として外側に行くに連れて高くなる傾斜状に形成されていること特徴とする。
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を少なくとも一方の通気性素材の上面に折り曲げ載置し、
前記養液供給手段から養液を折り曲げ載置された保水性シートに滴下させるように構成されていることを特徴とする縦型水耕栽培システム。
【請求項２】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、
前記保水性シートが折り曲げ載置された通気性素材とは反対側の通気性素材の上面に別体の保水性シートを載置し、その下端部を前記保水性シートに接触させた構成とし、
前記養液供給手段から養液を折り曲げ載置された保水性シート又は別体の保水性シートに滴下させるように構成されていることを特徴とする縦型水耕栽培システム。
【請求項３】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備えた縦型水耕栽培システムであって、
前記縦型水耕栽培筒は、その一側面に植物の苗を植え込むための垂直方向のスリットを備え、
前記培地は、保水性シートとその両面を挟み込んだ通気性素材とで構成され、
前記通気性素材の上端より突出した保水性シート上端部を一方の通気性素材の上面に折り曲げ載置し、さらにその先端をもう一方の通気性素材の上面側に折り返し載置し、
前記養液供給手段から養液を折り返し載置された保水性シートに滴下させるように構成されていることを特徴とする縦型水耕栽培システム。
【請求項４】
請求項１〜３のいずれか１項に記載の縦型水耕栽培システムにおいて、
折り曲げ又は折り返し載置された前記保水性シートは、保水性シートを中心として縦型水耕栽培筒の両側壁側に行くに連れて高くなる傾斜状に形成されていること特徴とする縦型水耕栽培システム。
【請求項５】
請求項１〜３のいずれか１項に記載の縦型水耕栽培システムにおいて、
少なくとも片側の前記通気性素材の上面に保水性シートを中心として外側に行くに連れて高くなる傾斜上面を有する傾斜部材を備えていることを特徴とする縦型水耕栽培システム。
【請求項６】
請求項１〜３のいずれか１項に記載の縦型水耕栽培システムにおいて、
前記通気性素材の少なくとも片側の上面が保水性シートを中心として外側に行くに連れて高くなる傾斜状に形成されていること特徴とする縦型水耕栽培システム。
【請求項７】
請求項１〜６のいずれか１項に記載の縦型水耕栽培システムにおいて、
前記養液回収手段は、縦型水耕栽培筒の下部から滴下する養液を回収するドレンパンを備え、該ドレンパンに回収された養液を養液収容タンクに循環させるように構成されていることを特徴とする縦型水耕栽培システム。
【請求項８】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を少なくとも一方の通気性素材の上面に折り曲げ載置し、
前記保水性シートと一方の通気性素材との間に複数の植物の苗を挟み込んだ状態で、前記養液供給手段から養液を折り曲げ載置された保水性シートに滴下させることにより保水性シートに供給された養液で植物の苗を育成することを特徴とする縦型水耕栽培方法。
【請求項９】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液回収手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記通気性素材の上端より突出した保水性シート上端部を一方の通気性素材の上面に折り曲げ載置し、前記保水性シートが折り曲げ載置された通気性素材とは反対側の通気性素材の上面に別体の保水性シートを載置し、その下端部を前記保水性シートに接触させた構成とし、
前記保水性シートと一方の通気性素材との間に複数の植物の苗を挟み込んだ状態で、前記養液供給手段から養液を折り曲げ載置された保水性シート又は別体の保水性シートに滴下させることにより保水性シートに供給された養液で植物の苗を育成することを特徴とする縦型水耕栽培方法。
【請求項１０】
ハウスの天井に吊るし又は床面に立設した複数の縦型水耕栽培筒と、縦型水耕栽培筒内に抜き差し可能に収容した培地と、養液収容タンクから培地に養液を供給する養液供給手段と、縦型水耕栽培筒の下部から滴下した養液を収集し、養液収容タンクに回収する養液循環手段と、を備え、
前記縦型水耕栽培筒は、その一側面に植物の苗を植え込むための垂直方向のスリットを備え、
前記培地を保水性シートとその両面を挟み込んだ通気性素材とで構成し、
前記保水性シートと一方の通気性素材との間に複数の植物の苗を挟み込んだ状態で、前記通気性素材の上端より突出した保水性シート上端部を一方の通気性素材の上面に折り曲げ載置し、さらにその先端をもう一方の通気性素材の上面側に折り返し載置し、
前記保水性シートと一方の通気性素材との間に複数の植物の苗を挟み込んだ状態で、前記養液供給手段から養液を折り返し載置された保水性シートに滴下させることにより保水性シートに供給された養液で植物の苗を育成することを特徴とする縦型水耕栽培方法。
【請求項１１】
請求項８〜１０のいずれか１項に記載の縦型水耕栽方法において、
折り曲げ又は折り返し載置された前記保水性シートは、保水性シートを中心として縦型水耕栽培筒の両側壁側に行くに連れて高くなる傾斜状に形成されていること特徴とする縦型水耕栽培方法。
【請求項１２】
請求項８〜１０のいずれか１項に記載の縦型水耕栽培方法おいて、
少なくとも片側の前記通気性素材の上面に保水性シートを中心として外側に行くに連れて高くなる傾斜上面を有する傾斜部材を備えることを特徴とする縦型水耕栽培方法。
【請求項１３】
請求項８〜１０のいずれか１項に記載の縦型水耕栽培方法おいて、
少なくとも片側の前記通気性素材の上面が保水性シートを中心として外側に行くに連れて高くなる傾斜状に形成されていること特徴とする縦型水耕栽培方法。